(57)【要約】【課題】コストが低く、組み立てが容易で、商品を強く印象付けることができる広告体を提供する。【解決手段】取り付け対象物に装着するための装着部１１、商品パッケージデザインを模した第１の表示面１５、第１の表示面１５と連続して形成された第１の背面１３、装着部１１と第１の背面１３とを、第１の表示面１５が揺動可能なように連結する第１の連結部１２、第１の表示面１５と連続して第１の背面１３と対向する位置に形成された第２の背面１６、商品の付随情報が印刷された第２の表示面１８、第２の背面１６と第２の表示面１８とを、第２の表示面１８が揺動可能なように連結する第２の連結部１７とを含む１平面の紙で構成され、第１の背面１３と第２の背面１６とを重ね合わせると、第２の表示面１８が商品の一部を模した立体形状となり、第１の表示面１５と第２の表示面１８は同一面に印刷される広告体１とする。【選択図】図１
2019078775.tif 000002
【特許請求の範囲】
【請求項１】
取り付け対象物に装着するための装着部と、
商品のパッケージデザインの少なくも一部を模して印刷された第１の表示面と、
前記第１の表示面と連続して形成された第１の背面と、
前記装着部と前記第１の背面とを連結する第１の連結部と、
前記第１の表示面と連続して、前記第１の背面と対向する位置に形成された第２の背面と、
前記商品の付随情報が印刷された第２の表示面と、
前記第２の背面と前記第２の表示面とを連結する第２の連結部と
を含む１平面の紙により構成され、
前記第１の背面と前記第２の背面とを重ね合わせることにより、前記第２の表示面が前記商品の少なくとも一部を模した立体形状となり、
前記第１の連結部は、前記第１の表示面が前記装着部に対して揺動可能なように、前記装着部と前記第２の背面とを連結し、
前記第２の連結部は、前記第２の表示面が前記第１の表示面に対して揺動可能なように、前記第２の背面と前記第２の表示面とを連結し、
１平面の前記紙において、前記第１の表示面の前記商品パッケージを模した印刷と、前記第２の表示面の前記商品付随情報の印刷は、同一面に施される
ことを特徴とする広告体。
【請求項２】
請求項１に記載の広告体であって、
前記第２の表示面には、前記第１の表示面と上下反対方向に前記商品の付随情報が印刷される
ことを特徴とする広告体。
【請求項３】
請求項１または２に記載の広告体であって、
前記商品の付随情報が印刷された第３の表示面
をさらに備え、
前記第３の表示面は、前記第１の背面のうち、前記第１の表示面に接する部分が所定形状に切り込まれて構成され、前記第１の背面と前記第２の背面とが重ね合わされた場合、その逆側に折り曲げられる
ことを特徴とする広告体。
【請求項４】
請求項３に記載の広告体であって、
１平面の前記紙において、前記第１の表示面の前記商品パッケージを模した印刷、前記第２の表示面の前記商品付随情報の印刷、および、前記第３の表示面の前記商品付随情報の印刷は、同一面に施される
ことを特徴とする広告体。
【発明の詳細な説明】
【技術分野】
【０００１】
本発明は、広告体に関する。
【背景技術】
【０００２】
従来から、消費者が商品を購入する小売店などの商品棚に取り付けられる広告体が広く用いられている。たとえば、設置場所での手作業による組立を容易に行うことができる、ビール等の缶入り飲料の立体的な広告体がある（特許文献１参照）。
【０００３】
また、所謂、スイングＰＯＰと称される広告体としては、たとえば、１枚のフィルムシートから構成された組立式立体スイングＰＯＰ広告がある（特許文献２参照）。このような組立式立体スイングＰＯＰ広告は、宣伝したい商品のパッケージデザインを模した形状を含むため、消費者が容易に商品を探し出すことができる。
【先行技術文献】
【特許文献】
【０００４】
【特許文献１】特開平１０−２４０１３５号公報
【特許文献２】実用新案登録第３２００１３８号公報
【発明の概要】
【発明が解決しようとする課題】
【０００５】
広告体は、消費者が商品を購入する小売店などの商品棚に取り付けられるものである。販売促進対象となる商品の近くに広告体を取り付けることにより、消費者による視認性が増す。したがって、複数ある競合商品から、販売促進対象となる商品の購買効果を促進させることができる。
【０００６】
従来、たとえば、新商品発売や、季節商品のプロモーションなど、商品の販売促進には、全国一律の大型キャンペーンを行うことが多かった。しかしながら、地域によって気候や習慣に違いが見られるため、従来の全国一律のプロモーションでは効果が見られない事例もある。したがって、店頭における商品の販売促進においては、個店で対応できるような小規模なプロモーションや、季節や地域によって頻繁に広告体を交換できるなどの柔軟なプロモーションにニーズが集まる傾向にある。また、小売店の販促エリアも、催事場やエンドのスペースの大型活用より、定番棚や小さいスペースを活用して、商品訴求を促すことができる販売促進のための広告体の需要が高まってきている。
【０００７】
たとえば、特許文献１に記載の広告体は、実物の缶と同一のデザインを消費者に提示するため、商品をイメージしやすいものである。しかしながら、商品のパッケージデザイン以外にも、商品の特徴を伝えたり、販売促進をおこなうためのキャッチコピー等の情報を広告体にさらに加えたい場合、商品のパッケージデザイン部分の一部を隠してキャッチコピー等を印刷するか、または、この広告体に、キャッチコピーが記された他の広告体を加えて商品棚に取り付ける必要がある。
【０００８】
そして、特許文献２に記載の広告体は、商品の特徴等を示す表示部が陳列棚から離れた位置において揺動可能な形態であることにより、消費者の目を引くことが可能である。しかしながら、特許文献２に記載の広告体は、フィルムシートで構成されており、コストが高いため、小規模の商品プロモーションには不向きである。
【０００９】
個店で対応できるような小規模なプロモーションや、季節や地域によって頻繁に広告体を交換できるなどの柔軟なプロモーションに対応するためには、スイングＰＯＰ等の広告体においても、更なるコストダウンが求められる。また、これらの広告体は、組み立て前の平面状態で小売店などに配布され、現場にて組み立てられることが求められるため、組み立ての容易性が更に求められる。さらに、広告体を見た消費者が、実物の商品をイメージしやすく、印象度の高い、すなわち、宣伝効果が大きいことが必要とされる。そのため、広告体においては、商品のパッケージデザインを消費者に印象付けるのみならず、キャッチコピーなどの商品付随情報を消費者に強く印象付けることが求められる。
【００１０】
そこで、本発明は、上記課題を解決すること、すなわち、コストが低く、組み立てが容易でありながら、商品のパッケージデザインおよび商品付随情報を強く消費者に印象付けることができる広告体を提供することを目的とする。
【課題を解決するための手段】
【００１１】
上記課題を解決するために、本発明の広告体の一側面は、取り付け対象物に装着するための装着部と、商品のパッケージデザインの少なくも一部を模して印刷された第１の表示面と、第１の表示面と連続して形成された第１の背面と、装着部と第１の背面とを連結する第１の連結部と、第１の表示面と連続して、第１の背面と対向する位置に形成された第２の背面と、商品の付随情報が印刷された第２の表示面と、第２の背面と第２の表示面とを連結する第２の連結部とを含む１平面の紙により構成され、第１の背面と第２の背面とを重ね合わせることにより、第２の表示面が商品の少なくとも一部を模した立体形状となり、第１の連結部は、第１の表示面が装着部に対して揺動可能なように、装着部と第２の背面とを連結し、第２の連結部は、第２の表示面が第１の表示面に対して揺動可能なように、第２の背面と第２の表示面とを連結し、１平面の紙において、第１の表示面の商品パッケージを模した印刷と、第２の表示面の商品付随情報の印刷は、同一面に施されることを特徴とする。
【００１２】
本発明の広告体の他の側面は、第２の表示面には、第１の表示面と上下反対方向に商品の付随情報が印刷されることを特徴とする。
【００１３】
また、本発明の広告体の他の側面は、商品の付随情報が印刷された第３の表示面をさらに備え、第３の表示面は、第１の背面のうち、第１の表示面に接する部分が所定形状に切り込まれて構成され、第１の背面と第２の背面とが重ね合わされた場合、その逆側に折り曲げられることを特徴とする。
【００１４】
また、本発明の広告体の他の側面は、１平面の紙において、第１の表示面の商品パッケージを模した印刷、第２の表示面の商品付随情報の印刷、および、第３の表示面の商品付随情報の印刷は、同一面に施されることを特徴とする。
【発明の効果】
【００１５】
本発明によれば、コストが低く、組み立てが容易でありながら、商品のパッケージデザインおよび商品付随情報を強く消費者に印象付けることができる。
【図面の簡単な説明】
【００１６】
【図１】広告体１の展開図である。
【図２】図１の広告体１を立体的に組み立てた状態の斜視図である。
【図３】広告体１を組み立てた状態の正面図である。
【図４】広告体１を組み立てた状態の背面図である。
【図５】広告体１を組み立てた状態の上面図である。
【図６】広告体１を組み立てた状態の底面図である。
【図７】広告体１を組み立てた状態の右側面図である。
【図８】広告体１を組み立てた状態の左側面図である。
【図９】広告体５１の展開図である。
【図１０】広告体８１の展開図である。
【発明を実施するための形態】
【００１７】
以下、本発明の一実施の形態の広告体１について、図１〜図１０を参照しながら説明する。図１は、本発明の一実施例である広告体１の展開図である。図２は、図１の広告体１を立体的に組み立てた状態の斜視図である。
【００１８】
広告体１は、図１の展開図に示される一枚の紙を立体的に組み立てることで、図２の斜視図に示される立体形状に作製される。広告体１は、商品パッケージの少なくとも一部を模した立体形状の表面部分を有し、商品パッケージの少なくとも一部を模して印刷されている第１の表示面１５と、第１の表示面１５を含む立体形状に対して揺動可能であり、商品の付随情報が印刷されている第２の表示面１８と、第１の表示面１５を含む立体形から飛び出すような形状を有し、商品の付随情報が印刷されている第３の表示面１４との３つの表示面を有するものである。ここでは、たとえば、缶飲料等の円柱形のパーケージを有する商品を消費者に想起させることができるように、広告体１の主体部分を半円柱形とする場合について説明する。
【００１９】
広告体１は、装着部１１、第１の連結部１２、第１の背面１３、第３の表示面１４、第１の表示面１５、第２の背面１６、第２の連結部１７、および、第２の表示面１８を含んで構成されている。また広告体１は、図１の展開図に示される平面から図２の斜視図に示される立体形状へ組み立てるために、第１の折り線部２１〜第６の折り線部２６、切込み部２７、第１の差し込み部３１、および、第２の差し込み部３２を含んで構成されている。また、図１に示される広告体１の展開図において、第１の表示面１５、第２の表示面１８、および、第３の表示面１４は、同一面側に印刷される。図１は、第１の表示面１５、第３の表示面１４、および、第２の表示面１８の印刷面が表面となるように図示されている。また、図１において、実線は切り込まれている部分を示し、点線は折り線を示す。広告体１は、組み立て時において、対応する商品のサイズよりも小さく、店舗の景観を損なうこと無く販売を促進することができる大きさであると好適である。
【００２０】
装着部１１は、商品陳列棚（図示せず）等の広告体１の取り付け対象物に装着するための部分である。装着部１１は、陳列棚の正面のプライスカード用のレール部分などに挟み込んで装着することが可能な形状である。また、装着部１１は、その表面（印刷面と同じ面）に両面粘着テープを貼着し、広告体１の使用時に、両面粘着テープの剥離紙を取り外して、取り付け対象物に広告体１を装着することができるようにしてもよい。
【００２１】
第１の連結部１２は、装着部１１と、後述する第１の背面１３を連結するものである。第１の連結部１２は、装着部１１および第１の連結部１２以外の後述する各部全体が揺動可能なように保持することができれば、その形状は、図示するものと異なる形状であっても構わない。
【００２２】
第１の背面１３は、第１の連結部１２と連続して形成されているとともに、後述する第１の表示面１５と、第２の折り線部２２および第３の折り線部２３を挟んで連続して形成されている。第１の背面１３は、その高さが、後述する第１の表示面１５の高さと同一であり、その幅が、図２の斜視図に示される立体において第１の表示面１５が形成する半円柱の直径となる矩形を基本とした形状であり、その矩形の一部が、後述する第３の表示面１４を形成している。第１の背面１３には、後述する第１の表示面１５と対向する辺のうち、後述する切込み部２７と対応する位置に、第１の折り線部２１を挟んで第１の差し込み部３１が構成されている。第１の差し込み部３１は、広告体１の組み立て時に、第１の折り線部２１において山折りされ、後述する切込み部２７に差し込まれる。
【００２３】
第３の表示面１４は、商品の特徴やキャッチコピー、または、キャラクターなどのイラスト等の商品付随情報が印刷された表示面である。第３の表示面１４は、第１の背面１３を構成する矩形のうち、後述する第１の表示面１５に接する部分が所定形状に切り込まれたものである。そして、第３の表示面１４は、第１の表示面１５と第４の折り線部２４を挟んで連続する。第３の表示面１４は、第４の折り線部２４を谷折りすることにより、図２の斜視図に示される組立時の立体において、第１の表示面１５が形成する半円柱の左横に飛び出す形状となる。換言すれば、第３の表示面１４は、第４の折り線部２４を谷折りすることにより、図２の斜視図に示される組立時の立体において重なり合う第１の背面１３と第２の背面１６とに対して、逆側に組み立てられる。なお、ここでは、第３の表示面１４の形状は、円に近い形状となっているが、その形状は、たとえば、三角形状,四角形状,その他の多角形形状，楕円形状,星型形状，キャラクターを模した形状などの異なるものであっても構わない。また、第３の表示面１４と第１の背面１３とを分割する切込みは、後述する第２の差し込み部３２の差込口としても用いられる。また、この第３の表示面は、第１の表示面の印刷と連続したデザインがなされていてもよい。
【００２４】
第１の表示面１５は、図２の斜視図に示される組立時の立体において、商品の形状を消費者に想起させるための半円柱の形状となる。第１の表示面１５には、対象となる商品を正面から見た場合のパッケージデザインを模した印刷が施されている。なお、ここでは、第１の表示面１５の組み立て時の形状は、半円柱の形状となっているが、商品の形状によっては、たとえば、四角柱の形状,三角柱の形状,その他の角数を有する角柱の形状などとなるようにしてもよい。
【００２５】
第２の背面１６は、第１の表示面１５と、第５の折り線部２５および第６の折り線部２６、ならびに、切込み部２７を挟んで連続して形成されているとともに、後述する第２の連結部１７と連続して形成されている。第２の背面１６は、その高さが、第１の表示面１５の高さと同一であり、その幅が、図２の斜視図に示される立体において第１の表示面１５が形成する半円柱の直径となる矩形である。第２の背面１６には、第１の表示面１５と対向する辺の第３の表示面１４に対応する位置に、第２の差し込み部３２が構成されている。第２の差し込み部３２は、広告体１の組み立て時に、第３の表示面１４と第１の背面１３とを分割する切込みに差し込まれる。第１の差し込み部３１が切込み部２７に差し込まれ、第２の差し込み部３２が、第３の表示面１４と第１の背面１３とを分割する切込みに差し込まれることにより、第１の背面１３と第２の背面１６が重なり、第１の表示面１５が半円柱の外側面状に曲がるため、商品パッケージの一部を模した立体形状を構成することができる。
【００２６】
第２の連結部１７は、第２の背面１６と後述する第２の表示面１８を連結するものである。第２の連結部１７は、第２の表示面１８が揺動可能なように保持することができれば、その形状は、図示するものと異なる形状であっても構わない。
【００２７】
第２の表示面１８は、商品の特徴やキャッチコピー、または、キャラクターなどのイラスト等の商品付随情報が印刷された表示面である。第２の表示面１８は、第２の連結部１７と連続して形成されている。第２の表示面１８に、文字やイラスト等、上下のあるデザインが印刷されるとき、文字やイラスト等は、第１の表示面１５および第３の表示面１４とは上下反対方向となるように印刷される。なお、第２の表示面１８の形状は、一つの円の一部に他の小さな円を重ね合わせたような形状となっているが、その形状は、たとえば、円状、三角状,四角形状,その他の多角形状，楕円形状,星型形状，キャラクターを模した形状、あるいはこれら同士を重ねあわせたような形状などであっても構わない。また、この第２の表示面１８は、第３の表示面の印刷と同一のデザインがなされていてもよい。
【００２８】
図３は、広告体１を組み立てた状態の正面図である。広告体１は、商品を消費者に想起させるための半円柱形状の第１の表示面１５を中心に構成され、第１の表示面１５の左側に、商品の特徴やキャッチコピー、または、キャラクターなどのイラスト等が印刷された第３の表示面１４を備えている。広告体１は、さらに、商品の特徴やキャッチコピー、または、キャラクターなどのイラスト等が印刷された第２の表示面１８を備えている。第２の表示面１８は、第１の表示面１５を含む立体に対して揺動可能なように、第２の連結部１７により連結されている。
【００２９】
図４は、広告体１を組み立てた状態の背面図である。広告体１は、装着部１１により、陳列棚に取り付けられる。また、広告体１は、第１の連結部１２により、商品の特徴等を示す第１の表示面１５、第３の表示面１４、および、第２の表示面１８が、陳列棚から離れた位置において揺動可能な状態に掲示される。
【００３０】
図５は、広告体１を組み立てた状態の上面図（平面図）である。図６は、広告体１を組み立てた状態の底面図である。図５および図６に示されるように、第１の差し込み部３１は、組み立て後の広告体１において、第１の表示面１５の背面に位置する。そして、第２の差し込み部３２は、組み立て後の広告体１において、第３の表示面１４の背面に位置する。すなわち、第１の差し込み部３１および第２の差し込み部３２は、組み立てた状態における広告体１の補強の役割も有している。第１の差し込み部３１および第２の差し込み部３２の大きさや形状は、第３の表示面１４のデザイン、切込み部２７の長さによる第１の表示面１５と第２の背面１６との境界部分の強度の違い、組み立ての容易性、または、広告体１を印刷する場合の用紙サイズと取り数との関係等の制約の範囲内において、組み立てた時の広告体１の強度を保つことが可能なように、適宜設計可能である。
【００３１】
図７は、広告体１を組み立てた状態の右側面図である。図８は、広告体１を組み立てた状態の左側面図である。第１の表示面１５は、商品の形状を模した立体であるため、消費者が、正面以外の角度から広告体１を見た場合であっても、販売促進対象の商品を想起することができる。また、広告体１においては、第１の連結部１２により、商品の形状を模した立体の全体が揺動可能となっており、更に、第２の連結部１７により、第３の表示面１４が、第１の表示面１５および第３の表示面１４に対して揺動可能となっているため、消費者の目を引く効果が高い。
【００３２】
このように、本発明の広告体１は、取り付け対象物に装着するための装着部１１と、商品のパッケージデザインの少なくも一部を模して印刷された第１の表示面１５と、第１の表示面１５と連続して形成された第１の背面１３と、装着部１１と第１の背面１３とを連結する第１の連結部１２と、第１の表示面１５と連続して、第１の背面１３と対向する位置に形成された第２の背面１６と、商品の付随情報が印刷された第２の表示面１８と、第２の背面１６と第２の表示面１８とを連結する第２の連結部１７とを含む１平面の紙により構成され、第１の背面１３と第２の背面１６とを重ね合わせることにより、第２の表示面１８が商品の少なくとも一部を模した立体形状となり、第１の連結部１２は、第１の表示面１５が装着部１１に対して揺動可能なように、装着部１１と第２の背面１６とを連結し、第２の連結部１７は、第２の表示面１８が第１の表示面１５に対して揺動可能なように、第２の背面１６と第２の表示面１８とを連結し、１平面の紙において、第１の表示面１５の商品パッケージを模した印刷と、第２の表示面１８の商品付随情報の印刷は、同一面に施される。
【００３３】
したがって、広告体１は、商品パッケージを模し、揺動可能に取り付けられている立体部分を含み、更に、商品の特徴やキャッチコピー、または、キャラクターなどのイラスト等の商品付随情報が、商品パッケージに対応する部分から揺動可能に設けられているので、広告体１を見た消費者が、実物の商品をイメージしやすく、印象度も高くなって宣伝効果が大きい。
【００３４】
個店で対応できるような小規模なプロモーションに用いたり、季節や地域によって頻繁に交換できるなどの柔軟なプロモーションに対応するためには、短時間で設置が可能な組み立て容易性を有し、低コストで作成可能で、廃棄費用がかからない広告体が好適である。上述した広告体１は、１枚の紙から立体形状に組み立てられ、印刷面は、紙の一方の面のみである。このため、組み立てが容易で、低コストで作成することができ、更に、廃棄も容易である。
【００３５】
また、第１の表示面１５の形状は、半円柱以外の形状であってもよい。たとえば、図９に示される広告体５１のように、第１の背面１３、第１の表示面１５、および、第２の背面１６の高さと幅の比を、上述した広告体１と比較して、高さの比が大きくなるようにし、第１の表示面１５に記された第７の折り線部７１および第８の折り線部７２をそれぞれ山折りすることにより、ペットボトル飲料を模した立体形状とすることも可能である。
【００３６】
図９に示される広告体５１においては、第１の表示面１５の掲示時に上部となる側に、第９の折り線部７４を挟んで蓋部６１がさらに形成されている。蓋部６１には、第１０の折り線部７３が設けられている。第９の折り線部７４および第１０の折り線部７３をそれぞれ山折りすることにより、蓋部６１は、第１の表示面１５が形成する立体の蓋となる。すなわち、蓋部６１は、ペットボトルの蓋の上面部分を模すことが可能となる。したがって、消費者が広告体５１を高い位置から見た場合にも、ペットボトルの蓋の特徴的なデザインを消費者に提示することにより、実物の商品のイメージを想起させることができる。
【００３７】
また、たとえば、図１０に示される広告体８１のように、第１の表示面１５に記された第１１の折り線部９１および第１２の折り線部９２をそれぞれ山折りすることにより、紙パック飲料を模した立体形状とすることも可能である。
【００３８】
図１０に示される広告体８１においては、第１の表示面１５の掲示時に上部となる側に、第９の折り線部を挟んで蓋部９３がさらに形成されている。蓋部９３には、第１０の折り線部７３に加えて、更に、第１３の折り線部９４および第１４の折り線部９５が設けられている。第９の折り線部７４、第１０の折り線部７３、第１３の折り線部９４、および、第１４の折り線部９５をそれぞれ山折りすることにより、蓋部９３は、第１の表示面１５が形成する立体の蓋となる。すなわち、蓋部９３は、紙パック飲料の上面部分を模すことが可能となる。したがって、消費者が広告体８１を高い位置から見た場合にも、紙パック飲料の特徴となるストローの差込口等のパッケージデザインを消費者に提示することにより、実物の商品のイメージを想起させることができる。
【００３９】
また、第１の表示面１５を組み立てたときの形状には、上述した以外にも、たとえば、直方体、立方体、円錐形の一部などの様々な形状を用いることが可能である。
【００４０】
また、ここでは、広告体１、広告体５１、および、広告体８１の組み立て時に、第１の差し込み部３１を切込み部２７に差し込むとともに、第２の差し込み部３２を第３の表示面１４と第１の背面１３とを分割する切込みに差し込むことにより、商品パッケージを模した立体形状を構成するものとして説明したが、広告体の組み立ては、組み立ての容易性を著しく損なうものでなければ、たとえば、接着等の他の方法を用いるものであってもよい。
【００４１】
また、本発明の実施の形態は、上述した実施の形態に限定されるものではなく、本発明の要旨を逸脱しない範囲において種々の変更が可能である。
【符号の説明】
【００４２】
１…広告体、１１…装着部、  １２…第１の連結部、  １３…第１の背面、  １４…第３の表示面、  １５…第１の表示面、  １６…第２の背面、  １７…第２の連結部、  １８…第２の表示面
【図１】
2019078775.tif 000003
【図２】
2019078775.tif 000004
【図３】
2019078775.tif 000005
【図４】
2019078775.tif 000006
【図５】
2019078775.tif 000007
【図６】
2019078775.tif 000008
【図７】
2019078775.tif 000009
【図８】
2019078775.tif 000010
【図９】
2019078775.tif 000011
【図１０】
2019078775.tif 000012